【手続補正書】
【提出日】平成30年11月9日(2018.11.9)
【手続補正１】
【補正対象書類名】明細書
【補正対象項目名】０００６
【補正方法】変更
【補正の内容】
【０００６】
上記目的を達成するため、本発明の一態様の撮像装置は、
撮影して得られた画像を外部機器に送信する送信手段と、
被写体を撮影可能な第１の機能状態と、被写体の撮影は不可であるが画像送信に係る通信機能が有効な第２の機能状態とを制御する機能状態制御手段と、
前記第１の機能状態で撮影が行われた場合に、当該第１の機能状態で撮影された撮影画像を前記送信手段による送信の対象である送信対象画像として記録する撮影制御手段と、
前記送信対象画像が記録されている場合であっても、前記第１の機能状態では前記送信手段による前記外部機器への送信を許可せず、前記第２の機能状態において前記送信手段による前記外部機器への送信を許可するように制御する送信制御手段と、
を備えたことを特徴とする。
【手続補正２】
【補正対象書類名】特許請求の範囲
【補正対象項目名】全文
【補正方法】変更
【補正の内容】
【特許請求の範囲】
【請求項１】
撮影して得られた画像を外部機器に送信する送信手段と、
被写体を撮影可能な第１の機能状態と、被写体の撮影は不可であるが画像送信に係る通信機能が有効な第２の機能状態とを制御する機能状態制御手段と、
前記第１の機能状態で撮影が行われた場合に、当該第１の機能状態で撮影された撮影画像を前記送信手段による送信の対象である送信対象画像として記録する撮影制御手段と、
前記送信対象画像が記録されている場合であっても、前記第１の機能状態では前記送信手段による前記外部機器への送信を許可せず、前記第２の機能状態において前記送信手段による前記外部機器への送信を許可するように制御する送信制御手段と、
を備えたことを特徴とする撮像装置。
【請求項２】
前記送信制御手段は、ユーザ操作が無く所定時間が経過した場合、または、ユーザが低消費電力状態への移行を指示した場合であって、更に、送信が有効であり、かつ、未送信の画像がある場合に、前記送信手段による前記外部機器への送信を開始するように制御する、
ことを特徴とする請求項１に記載の撮像装置。
【請求項３】
前記送信制御手段は、前記第２の機能状態において前記送信手段による前記外部機器への送信対象画像の送信中に前記第１の機能状態に移行した場合は、未送信の送信対象画像が残っていても、前記送信手段による前記外部機器への送信を停止する、
ことを特徴とする請求項２に記載の撮像装置。
【請求項４】
被写体を撮影することが可能な電力状態である第１の電力状態と、被写体の撮影は不可であるが画像送信に係る通信機能を有効とすることが可能な電力状態である第２の電力状態とを制御する電力状態制御手段を更に備え、
前記電力状態制御手段は、前記第１の電力状態において、ユーザ操作が無く所定時間が経過した場合、または、ユーザが低消費電力状態への移行を指示した場合に、前記第２の電力状態へと移行させ、
前記機能状態制御手段は、前記第１の機能状態において、ユーザ操作が無く所定時間が経過した場合、または、ユーザが前記低消費電力状態への移行を指示した場合に、前記第２の機能状態へと移行させる、
ことを特徴とする請求項１乃至３の何れかに記載の撮像装置。
【請求項５】
前記機能状態制御手段は、前記第２の機能状態かつ前記第２の電力状態において、ユーザ操作があった場合に、前記第１の電力状態へと移行させるとともに前記第１の機能状態へと移行させる、
ことを特徴とする請求項４に記載の撮像装置。
【請求項６】
前記電力状態制御手段は、前記第１の電力状態と前記第２の電力状態に加えて更に、被写体の撮影が不可であり且つ画像送信に係る通信機能が無効な電力状態である第３の電力状態へと制御し、ユーザ操作が無く所定時間が経過した場合、または、ユーザが前記低消費電力状態への移行を指示した場合に、前記送信手段による前記外部機器への送信を開始する場合には前記第２の電力状態へ、前記送信手段による前記外部機器への送信を開始しない場合には前記第３の電力状態へ移行させる、
ことを特徴とする請求項４又は５に記載の撮像装置。
【請求項７】
前記第３の電力状態において画像送信以外の所定の通信が可能な第１通信方式により通信を行う第１の通信手段と、
前記第２の電力状態において画像送信が可能な第２通信方式により通信を行う第２の通信手段と、を備え、
前記第３の電力状態へと移行した場合は、前記第１の通信手段を介した前記外部機器からの通信により起動する、
ことを特徴とする請求項６に記載の撮像装置。
【請求項８】
前記第１の通信手段は、当該撮像装置と前記外部機器とが前記送信手段による画像送信処理を実行可能な所定の動作状態にない場合であっても前記外部機器との通信接続が維持され、
前記第２の通信手段は、前記所定の動作状態にあることを条件として前記外部機器との通信接続が維持され、
前記送信制御手段は、前記外部機器との間で前記第２の通信手段を介して前記送信手段による画像送信処理を実行させ、前記第３の電力状態であって前記所定の動作状態にないことに起因して前記送信手段による画像送信処理が実行できない場合には、前記第１の通信手段により前記外部機器との間で所定の通信を行うことにより、当該撮像装置と前記外部機器とを前記所定の動作状態に移行させた後に、前記送信手段による画像送信処理を実行させる、
ことを特徴とする請求項７に記載の撮像装置。
【請求項９】
前記第１の通信手段による前記第１通信方式の通信は、前記第２の通信手段による前記第２通信方式の通信よりも低速であるが省電力であり、
前記第１の通信手段は、前記第２の通信手段による前記外部機器との通信接続が確立していないことに起因して前記送信手段による画像送信処理が実行できない状態であっても、前記外部機器との通信接続を維持し、
前記送信制御手段は、前記第１の通信手段により前記外部機器との間で所定の通信を行うことにより、前記第２の通信手段による前記外部機器との通信接続が確立していない状態から確立された状態へと移行させる、
ことを特徴とする請求項７又は８に記載の撮像装置。
【請求項１０】
撮影して得られた画像を外部機器に送信する送信手段を備える撮像装置で実行される通信制御方法であって、
被写体を撮影可能な第１の機能状態と、被写体の撮影は不可であるが画像送信に係る通信機能が有効な第２の機能状態とを制御する機能状態制御ステップと、
前記第１の機能状態で撮影が行われた場合に、当該第１の機能状態で撮影された撮影画像を前記送信手段による送信の対象である送信対象画像として記録する撮影制御ステップと、
前記送信対象画像が記録されている場合であっても、前記第１の機能状態では前記送信手段による前記外部機器への送信を許可せず、前記第２の機能状態において前記送信手段による前記外部機器への送信を許可するように制御する送信制御ステップと、
を含むことを特徴とする通信制御方法。
【請求項１１】
撮影して得られた画像を外部機器に送信する送信手段を備える撮像装置を制御するコンピュータを、
被写体を撮影可能な第１の機能状態と、被写体の撮影は不可であるが画像送信に係る通信機能が有効な第２の機能状態とを制御する機能状態制御手段、
前記第１の機能状態で撮影が行われた場合に、当該第１の機能状態で撮影された撮影画像を前記送信手段による送信の対象である送信対象画像として記録する撮影制御手段、
前記送信対象画像が記録されている場合であっても、前記第１の機能状態では前記送信手段による前記外部機器への送信を許可せず、前記第２の機能状態において前記送信手段による前記外部機器への送信を許可するように制御する送信制御手段、
として機能させることを特徴とするプログラム。